(57)【特許請求の範囲】
【請求項１】
ファインダー観測位置と露光退避位置との間を移動可能なミラーユニットを備える撮像装置であって、
前記ミラーユニットが前記ファインダー観測位置に位置するとき、撮像光束の一部を反射させてファインダー光学系に導き、前記撮像光束の残りを透過させる半透過性の第１のミラーと、
前記第１のミラーを保持する第１の保持部材と、
前記第１のミラーに回動可能に配置され、前記ファインダー観測位置において、前記第１のミラーを透過した前記撮像光束の残りを反射させて焦点検出装置に導く第２のミラーと、
前記第２のミラーを保持する第２の保持部材と、を備え、
前記第１の保持部材は、前記第１のミラーを保持している面と反対側に、前記ミラーユニットが前記露光退避位置に位置するときに、前記第２の保持部材と当接しない第１の領域および前記第２の保持部材と当接する第２の領域を有しており、
前記第１の領域は、反射を防止する面で形成されており、
前記第２の領域は、前記第１の領域よりも平坦な面で形成されていることを特徴とする撮像装置。
【請求項２】
前記第１の保持部材は、前記ミラーユニットが前記露光退避位置に位置するときに、前記ファインダー光学系から入射し、前記撮像装置の内部で反射した光束が撮像素子に到達しないように遮光する遮光部が形成されており、
前記第２の領域は、前記遮光部の近傍に形成されていることを特徴とする請求項１に記載の撮像装置。
【請求項３】
前記第２の領域は、前記第２の保持部材において被写体側の先端の辺全体と当接する矩形形状であることを特徴とする請求項１に記載の撮像装置。
【請求項４】
前記第１の領域には艶消し塗装が施されており、前記第２の領域には前記艶消し塗装が施されていないことを特徴とする請求項１に記載の撮像装置。
【発明の詳細な説明】
【技術分野】
【０００１】
本発明はメインミラー及びサブミラーを備えた撮像装置に関する。
【背景技術】
【０００２】
一眼レフカメラでは、撮像レンズとＣＣＤセンサやＣＭＯＳセンサ等の像面との間にミラーボックスが配置される。ミラーボックスには、メインミラーユニットとサブミラーユニットで構成されるミラーユニットが取り付けられている。また、メインミラーユニットはメインミラーとメインミラーホルダーから構成され、サブミラーユニットはサブミラーとサブミラーホルダーから構成される。メインミラーホルダーはミラーボックス内に回転移動可能に取り付けられ、サブミラーホルダーはメインミラーホルダーに対して回転移動可能に取り付けられている。メインミラーユニットは通常時、ファインダー観測位置に位置しており、撮像レンズから入射する光束をファインダー光学系に導く。撮影時、レリーズボタン等を押圧すると、これに連動してファインダー観測位置から露光退避位置に回転移動し、シャッタ動作完了後観測位置に復帰する。メインミラーユニットがファインダー観測位置に位置しているとき、サブミラーユニットはメインミラーユニットを透過した光束を焦点検出装置に向けて反射させる反射位置に位置する。メインミラーユニットがファインダー観測位置から露光退避位置に回転移動する際に、サブミラーユニットは反射位置からメインミラーユニットと重なる位置に回転する。メインミラーユニットが露光退避位置となり、サブミラーユニットがメインミラーと重なる位置となるとき、サブミラーホルダー先端部がメインミラーを保持するメインミラーホルダーの裏面に衝突する構成になっている。
【０００３】
一方、一眼レフカメラにおいては、品質の良い画像を得るためにミラーボックス内部での不必要な反射を抑える目的で、ミラーボックス内部の部品にマット処理を施すことが一般的である。
【０００４】
特許文献１では、メインミラーホルダーとサブミラーホルダーとの間に衝撃吸収部材を配置し、サブミラーがメインミラーと重なる際に発生する衝撃を吸収する構成が掲示されている。
【先行技術文献】
【特許文献】
【０００５】
【特許文献１】特開２００９−０９８３８０号公報
【発明の概要】
【発明が解決しようとする課題】
【０００６】
しかしながら、上記のようにメインミラーホルダーとサブミラーホルダーの間に緩衝部材を配置する構成では緩衝部材が必要となる。また、衝突を繰り返しているうちに緩衝部材が劣化し、摩耗粉を発生させる。この摩耗粉がカメラ内部のゴミの原因になるという課題がある。コスト軽減のため、緩衝部材を廃止することも考えられる。しかし、この場合には、乱反射防止のためにメインミラーホルダーの表面に形成した凹凸形状部とサブミラーホルダーの表面に形成した凹凸形状部とが繰り返し衝突し、それぞれの凹凸形状部が摩耗する。これによっても摩耗粉が発生し、カメラ内部のゴミの原因になるという課題がある。
【０００７】
本発明は、このような課題を解決するためになされたもので、その目的とするところは、緩衝部材等の部品を追加することなくメインミラー保持部材とサブミラー保持部材の摩耗を抑えた撮像装置を提案することにある。
【課題を解決するための手段】
【０００８】
本発明の撮像装置は、ファインダー観測位置と露光退避位置との間を移動可能なミラーユニットを備える撮像装置であって、前記ミラーユニットが前記ファインダー観測位置に位置するとき、撮像光束の一部を反射させてファインダー光学系に導き、前記撮像光束の残りを透過させる半透過性の第１のミラーと、前記第１のミラーを保持する第１の保持部材と、前記第１のミラーに回動可能に配置され、前記ファインダー観測位置において、前記第１のミラーを透過した前記撮像光束の残りを反射させて焦点検出装置に導く第２のミラーと、前記第２のミラーを保持する第２の保持部材と、を備え、前記第１の保持部材は、前記第１のミラーを保持している面と反対側に、前記ミラーユニットが前記露光退避位置に位置するときに、前記第２の保持部材と当接しない第１の領域および前記第２の保持部材と当接する第２の領域を有しており、前記第１の領域は、反射を防止する面で形成されており、前記第２の領域は、前記第１の領域よりも平坦な面で形成されていることを特徴とする。
【発明の効果】
【０００９】
本発明によれば、ファインダー観測位置と露光退避位置との間でミラーユニットを繰り返し移動させても、第１の保持部材と第２の保持部材との当接領域の摩耗を低減することができ、カメラ内部のゴミの発生等を抑えることができる。
【図面の簡単な説明】
【００１０】
【図１】図１は、本発明の実施形態である撮像装置の配置を示す断面構成図である。
【図２】図２は、本発明の実施形態である撮像装置のミラーアップ位置での状態を示す断面構成図である。
【図３】図３は、本発明の実施形態であるミラー装置を下方向から見た説明図である。
【図４】図４は、本発明のミラーホルダーを裏側から見た説明図である。
【図５】図５は、本発明の撮像装置の外光のファインダー光学系からの外光の遮光を示す概略図である。
【図６】図６は、本発明のミラー装置のミラーダウン位置での状態を示す説明図である。
【図７】図７は、本発明のミラー装置のミラーアップ位置の状態を示す説明図である。
【発明を実施するための形態】
【００１１】
以下に、本発明の好ましい実施の形態を、添付の図面に基づいて詳細に説明する。
【実施例１】
【００１２】
以下、図１乃至７を参照して、本発明の第１の実施例による、撮像装置について説明する。
【００１３】
図１および図２は、実施例によるミラーユニット９を適用した一眼レフカメラの概略を示す断面構成図である。
【００１４】
本実施例のデジタル一眼レフカメラでは、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ）等の撮像素子により被写体像を光電変換する。光電変化後、画像情報を生成し、任意のメモリ等の電子記録媒体にその画像を記録する。
【００１５】
一眼レフカメラでは、マウント１とシャッタ２との間のミラーボックス３内にメインミラーユニット１０とサブミラーユニット２１を装備したミラーユニット９が配置されている。
【００１６】
図１に示す装置構成において、メインミラーユニット１０は、両側に突設された回転軸１１によりミラーボックス３に回転可能に軸支されており、ファインダー観測位置であるミラーダウン位置と露光退避位置であるミラーアップ位置とを切り替え可能となっている。ミラーダウン位置のメインミラーユニット１０はメインミラー規制ピン４により回動を規制され、シャッタ２及び撮像素子５の前方で傾斜配置される。このミラーダウン位置でのメインミラーユニット１０は、マウント１の開口を通過した撮像光束を上方に反射してファインダー光学系６に導く。
【００１７】
ミラーアップ位置のメインミラーユニット１０は図２に示すように、上方に跳ね上げられて撮影光路から外れた位置にある。
【００１８】
サブミラーユニット２１は、回転軸１２によりメインミラーユニット１０に回転可能に軸支されており、ミラーダウン位置とミラーアップ位置との間で回動可能となっている。ミラーダウン位置のサブミラーユニット２１はサブミラー規制ピン７により回動を規制され、メインミラーユニットの裏側に傾斜配置される。このミラーダウン位置でのサブミラーユニットは、メインミラーユニットを透過した透過光束をＡＦユニット（焦点検出装置）８に導く。
【００１９】
ミラーアップ位置のサブミラーユニット２１はメインミラーユニット１０側に回転されメインミラーユニット１０と重なる位置に位置している。この状態では、メインミラーユニット１０及びサブミラーユニット２１は撮像光路から外れた位置にあるため、マウント１の開口部を通過した光束は撮像素子５に導かれる。また、ミラーアップ位置にあるとき、ミラーユニット９はファインダー光学系６から入射する外光を遮光する役目も果たす。
【００２０】
図３、図４を用いてミラーユニット９の詳細について説明する。図３はミラー装置を斜め下から見た説明図で、図４はメインミラーホルダーを裏側から見た説明図である。
【００２１】
メインミラーユニット１０はメインミラー（第１のミラー）１３及び、メインミラーホルダー（第１の保持部材）１４を有している。
【００２２】
メインミラーは半透過性であるハーフミラーからなる。メインミラーユニット１０がミラーダウン位置に位置している時には、マウント１の開口部を通過した被写体の光束の一部を上方へ反射してファインダー光学系６に導き、残りの光束はサブミラーユニット２１を介して測距ユニット８に導く。
【００２３】
メインミラーホルダー１４は表側にメインミラー１３を保持している。メインミラーホルダー１４は両側面に突設された回転軸１１によりミラーボックス３に軸支されている。メインミラーホルダー１４の側面部の一方には、メインミラーユニット１０を不図示の駆動機構により駆動するための駆動軸１５が突設されている。
【００２４】
メインミラーホルダー１４の裏側（反対側）の被写体側の先端部には遮光壁（突起部）１６が突設されている。遮光壁の近傍には、ミラーユニット９がミラーアップ位置に位置しているときサブミラーユニット２１のサブミラー（第２のミラー）２２を保持するサブミラーホルダー（第２の保持部材）２３の先端部２６と当接する当接領域（第２の領域）１７を有している。当接領域１７以外の領域（第１の領域）１８には反射防止のマット処理が施されており、当接領域１７は領域１８より平坦な面で形成されている。表面粗さは、主に算術平均粗さ、最大高さ、十点平均粗さ等で表わされるが、本実施例において、領域１８の表面は、十点平均粗さで１３−１５μｍに仕上げられている（日本エッチング  ホーニングＮｏ．９相当）。また、当接領域１７はサブミラーホルダー２３の先端部２６全域に当接するため矩形形状をなしている。当然、このときサブミラーホルダー２３の先端の辺全体は、当接領域１７と当接している。当接領域１７が先端部２６全域に当接することにより、不必要な反射を抑えるとともに、当接時の応力を分散させることができる。
【００２５】
図５にミラーユニット９がファインダー光学系６からの外光１００を遮光する様子を示す。ファインダー光学系６から入射した外光は、ピント板３２を経てミラーユニット９に到達する。遮光壁１６がない場合、ピント板３２での拡散光や、ミラーユニット９内部のサブミラー２２やミラーホルダー表面で反射した光束が、撮像レンズ３１で反射し、撮像素子５に到達し、撮影画像が劣化してしまうことがある。遮光壁１６によりそれらの不要な光を遮光することが可能である。
【００２６】
サブミラーユニット２１はサブミラー２２及び、サブミラーホルダー２３を有している。
【００２７】
サブミラー２２は全反射ミラーからなる。サブミラーユニット２１がミラーダウン位置に位置しているときにはハーフミラーからなるメインミラー１３を透過した光束を下方に反射して測距ユニット８に導く。
【００２８】
サブミラーホルダー２３は表側にサブミラー２２を保持している。サブミラー２２の側面部にはメインミラーホルダー１４に突出する突出部２４が形成されている。突出部２４がメインミラーホルダー１４の側面の回転軸１２により回転可能に軸支されている。
【００２９】
図６および、図７はそれぞれ、ミラーダウン状態とミラーアップ状態のミラー装置を示す説明図である。
【００３０】
サブミラーホルダー２３はトグルバネ３０によりメインミラーホルダー１４に対して開く方向及び、閉じる方向に付勢可能である。トグルバネ３０はメインミラーホルダー１４側面の突起部１９に支持されている。トグルバネ３０の一端は、メインミラーホルダー１４の表側の溝部２０に当接し、他端は、サブミラーホルダー２３の突出部２４に形成された溝部２５に当接している。
【００３１】
ミラーユニット９がミラーダウン位置に位置している時には、サブミラーユニット２１がトグルバネ３０により開く方向に付勢される。一方、ミラーユニット９がミラーアップ位置に位置している時は、トグルバネ３０の付勢方向が反転し、サブミラーユニット２１の先端が閉じる方向に付勢される。この閉じる方向への付勢により、サブミラーユニット２１の先端が、メインミラーユニット１０側に回転され、サブミラーホルダーの先端部２６がメインミラーホルダー１４の裏側の当接領域１７に衝突して停止する。
【００３２】
実施例のミラーユニット９では、メインミラーホルダーの裏側の他の領域よりも表面が滑らかな当接領域１７とサブミラーホルダー２３の先端部２６が衝突する。そのため、レリーズ回数が増加してもメインミラーユニット１０のメインミラーホルダー１４とサブミラーユニット２１のサブミラーホルダー２３の衝突による摩耗を抑えることが出来る。
【００３３】
また、当接領域１７はメインミラーホルダーの遮光壁１６近傍に配置されているので、当接領域１７での反射がカメラの性能に悪影響を及ぼすことはない。
【００３４】
上述したミラー装置では、メインミラーホルダーの当接領域１７が他の領域よりも表面形状が滑らかな例について説明したが、当接領域が未塗装で、他の領域に艶消し塗装が施されている構成であってもよい。
【符号の説明】
【００３５】
１３        メインミラー
１４        メインミラー保持部材
１７        当接領域
２２        サブミラー
２３        サブミラー保持部材
【図１】
0005863251.tif 000002
【図２】
0005863251.tif 000003
【図３】
0005863251.tif 000004
【図４】
0005863251.tif 000005
【図５】
0005863251.tif 000006
【図６】
0005863251.tif 000007
【図７】
0005863251.tif 000008